(57)【要約】  【課題】  切刃に対する爪の煩雑な位置合わせを不要とし、安全、確実に爪切りを実施することができ、更には切り長さの調節にも簡易に対応し得る爪切り具又は爪切り具カバーを提供する。  【解決手段】  基部を連結された上刃板１及び下刃板２の適長離隔して対向する先端部の夫々に切刃10，20を設け、これらの切刃10，20を、上刃板１に押圧力を加える押し板３の操作により接近衝合させて、両切刃10，20間に差し込まれる手指又は足指の爪を切断する構成において、前記下刃板２の切刃20の外側に沿って、手指又は足指の先端を当接させるべく配されたスペーサ５を設ける。【選択図】      図１                                                            
2005192716.tif 000002
【特許請求の範囲】
【請求項１】
基部を連結された上刃板及び下刃板の適長離隔して対向する先端部の夫々に切刃を設け、これらの切刃を、上刃板に押圧力を加える押し板の操作により接近衝合させて、両切刃間に差し込まれる手指又は足指の爪を切断する爪切り具において、
前記手指又は足指の先端を当接させるべく、前記切刃の外側に沿って配されたスペーサを備えることを特徴とする爪切り具。
【請求項２】
前記スペーサを、前記切刃に対して接離する方向に移動させる手段を備える請求項１記載の爪切り具。
【請求項３】
前記スペーサは、前記下刃板の切刃の外側に沿って配してある請求項１又は請求項２記載の爪切り具。
【請求項４】
基部を連結された上刃板及び下刃板の適長離隔して対向する先端部の夫々に切刃を設け、これらの切刃を、上刃板に押圧力を加える押し板の操作により接近衝合させて、両切刃間に差し込まれる手指又は足指の爪を切断する爪切り具に、少なくとも前記上刃板及び下刃板の先端部近傍を覆うように装着される爪切り具カバーにおいて、
前記爪切り具への装着により該爪切り具の切刃の外側に沿う位置に、前記手指又は足指の先端を当接させるべく配されたスペーサを備えることを特徴とする爪切り具カバー。
【請求項５】
前記スペーサを、前記切刃に対して接離する方向に移動させる手段を備える請求項４記載の爪切り具カバー。
【請求項６】
前記スペーサは、前記爪切り具の下刃板の切刃の外側に沿うように配してある請求項４又は請求項５記載の爪切り具カバー。
【発明の詳細な説明】
【技術分野】
【０００１】
本発明は、手指又は足指の爪を切り揃えるべく使用される爪切り具、及びこの爪切り具に装着して用いられる爪切り具カバーに関し、更に詳しくは、切刃の刃先に対する爪の位置決めを容易化し得る付加構造を備える爪切り具及び爪切り具カバーに関する。
【背景技術】
【０００２】
手指又は足指の爪の手入れ、特に、爪を短く切り揃えることは、日常生活において必要な身だしなみである。このような爪の切り揃えに使用される爪切り具として、従来から、上下一対の刃板と、押し板とを備える爪切り具が広く使用されている。
【０００３】
上下の刃板は、ばね鋼等の弾性に富む金属材料製の板材であり、基端部を重ねて一体に連結され、厚さの方向に適長離隔する先端部に互いに対向する切刃を備えている。押し板は、上下の刃板の先端近傍に貫通保持された支軸の先端に、これと略直交する軸回りでの揺動自在に枢支され、この枢支部近傍に設けた押し片を一方の刃板の外面に当接させ、枢支部を支点とし、押し片の当接部を力点とする「てこ」を構成している。
【０００４】
このように構成された爪切り具は、手指、足指の爪を上下の刃板先端の切刃間に差し込み、押し板の先端を刃板に向けて押圧操作して使用される。これにより、押し板の押し片によって押圧される一方の刃板が他方の刃板に接近し、両刃板先端の切刃が互いに衝合されて、これらの切刃間に差し込まれた爪が切断される。
【０００５】
この種の爪切り具については、近年、使い勝手を向上するための種々の提案がなされており、上下の刃板を幅方向の両側から覆うカバーを備え、切断された爪の飛散を防止する構成とした爪切り具（例えば、特許文献１参照）、また、押し板により押圧される刃板の上面に複数か所にて接触する力点部材を備え、前記刃板の撓み変形を緩和することにより切刃の衝合を良好に行わせようとした爪切り具（例えば、特許文献２参照）、更には、支軸と押し板との連結部に玉継手を用い、使用時及び非使用時における押し板の位置変更を容易化した爪切り具（例えば、特許文献３参照）がある。
【特許文献１】特開平７−２３６５１６号公報
【特許文献２】特開２００１−４６１４２号公報
【特許文献３】特開平９−２３８７３４号公報
【発明の開示】
【発明が解決しようとする課題】
【０００６】
以上の特許文献１、２、３に開示された爪切り具は、夫々に記載された使い勝手の向上効果が得られる反面、最も重要な問題である安全性に対する配慮がなされていない。
【０００７】
即ち、従来の爪切り具を用いた爪切りは、前述の如く、上下の刃板の切刃間に手指又は足指の爪を差し込んで行われるが、このとき、切刃と爪との位置関係を目分量で合わせる必要がある。この位置合わせは、成人、健常者にとっては何らの問題もなく実施可能であるが、老人、子供、身体障害者にとっては困難であり、位置合わせが正しくなされないまま押し板の操作がなされた場合、衝合する切刃により手指、足指を誤って傷付けてしまう虞れがある。
【０００８】
また近年においては、マニュキュア、ペデュキュア等の後処理のために、爪先を適長余して切断することが要求される場合があり、このような場合、従来の爪切り具においては、所望の切り長さを得るために複数回の位置合わせを強いられ、使い勝手が悪いという問題があった。
【０００９】
本発明は斯かる事情に鑑みてなされたものであり、切刃に対する爪の煩雑な位置合わせを不要とし、安全、確実に爪切りを実施することができ、更には切り長さの調節にも簡易に対応し得る爪切り具及び爪切り具カバーを提供することを目的とする。
【課題を解決するための手段】
【００１０】
本発明の第１発明に係る爪切り具は、基部を連結された上刃板及び下刃板の適長離隔して対向する先端部の夫々に切刃を設け、これらの切刃を、上刃板に押圧力を加える押し板の操作により接近衝合させて、両切刃間に差し込まれる手指又は足指の爪を切断する爪切り具において、前記手指又は足指の先端を当接させるべく、前記切刃の外側に沿って配されたスペーサを備えることを特徴とする。
【００１１】
本発明においては、上下の刃板先端の切刃間に手指又は足指の爪を差し込むとき、切刃の外側に配されたスペーサが、手指又は足指の先端に当接して切刃の衝合位置に達することを阻止し、爪のみを切刃間に位置決めする作用をなし、手指又は足指が誤って傷付けられる虞れを解消する。
【００１２】
また第２発明に係る爪切り具は、第１発明におけるスペーサを、前記切刃に対して接離する方向に移動させる手段を備えることを特徴とする。
【００１３】
この発明においては、切刃に対してスペーサを接離移動させることにより、該スペーサに当接する手指又は足指の爪が前記切刃間に差し込まれる長さを調節して、切り長さの調節を、簡易に、しかも確実に実現する。
【００１４】
更に第３発明に係る爪切り具は、第１又は第２発明におけるスペーサが、前記下刃板の切刃の外側に沿って配してあることを特徴とする。
【００１５】
この発明においては、押し板により押圧力を加えられる上刃板ではなく、下刃板の切刃の外側にスペーサを配し、該スペーサの配設を容易とすると共に、一般的に押し板及び上刃板を上としてなされる爪切りに際し、スペーサの存在により切断部の視認が損なわれる虞れを回避して使い勝手の向上を図る。
【００１６】
本発明の第４発明に係る爪切り具カバーは、基部を連結された上刃板及び下刃板の適長離隔して対向する先端部の夫々に切刃を設け、これらの切刃を、上刃板に押圧力を加える押し板の操作により接近衝合させて、両切刃間に差し込まれる手指又は足指の爪を切断する爪切り具に、少なくとも前記上刃板及び下刃板の先端部近傍を覆うように装着される爪切り具カバーにおいて、前記爪切り具への装着により該爪切り具の切刃の外側に沿う位置に、前記手指又は足指の先端を当接させるべく配されたスペーサを備えることを特徴とする。
【００１７】
本発明においては、爪切り具カバーが装着された爪切り具を使用すべく、上下の刃板先端の切刃間に手指又は足指の爪を差し込むとき、爪切り具カバーに設けられて切刃の外側に位置するスペーサが、手指又は足指の先端に当接して切刃の衝合位置に達することを阻止し、爪のみを切刃間に位置決めする作用をなし、手指又は足指が誤って傷付けられる虞れを解消する。
【００１８】
また第５発明に係る爪切り具カバーは、第４発明におけるスペーサを、前記切刃に対して接離する方向に移動させる手段を備えることを特徴とする。
【００１９】
この発明においては、切刃に対してスペーサを接離移動させることにより、該スペーサに当接する手指又は足指の爪が前記切刃間に差し込まれる長さを調節して、切り長さの調節を、簡易に、しかも確実に実現する。
【００２０】
更に第６発明に係る爪切り具カバーは、第４又は第５発明におけるスペーサが、前記爪切り具の下刃板の切刃の外側に沿うように配してあることを特徴とする。
【００２１】
この発明においては、押し板により押圧力を加えられる上刃板ではなく、下刃板の切刃の外側に位置するようにスペーサを設け、一般的に押し板及び上刃板を上としてなされる爪切りに際し、スペーサの存在により切断部の視認が損なわれる虞れを回避して使い勝手の向上を図る。
【発明の効果】
【００２２】
本発明の第１発明に係る爪切り具及び第４発明に係る爪切り具カバーにおいては、切刃の外側にスペーサを配したから、切刃の衝合位置に対し、手指又は足指の先端が達することを阻止しつつ爪のみを正しく位置決めすることができ、手指又は足指を傷つける虞れのない安全、確実な爪切りを容易に実施することが可能となる。
【００２３】
また本発明の第２発明に係る爪切り具及び第５発明に係る爪切り具カバーにおいては、切刃に対してスペーサを接離移動させることができるから、切刃間に差し込まれる爪の長さを自在に変更することができ、所望の切り長さでの爪切りを、容易に実施することが可能となる。
【００２４】
更に本発明の第３発明に係る爪切り具及び第６発明に係る爪切り具カバーにおいては、爪切りの実施時に一般的に下位置となる下刃板の側にスペーサを備えたから、このスペーサの存在により切刃の衝合位置の視認が損なわれる虞れがなく、切断部を良好に視認しつつ安全、確実な爪切りを実施することができ、使い勝手が良好である等、本発明は優れた効果を奏する。
【発明を実施するための最良の形態】
【００２５】
以下本発明をその実施の形態を示す図面に基づいて詳述する。図１及び図２は、本発明に係る爪切り具の第１の実施の形態を示す外観斜視図であり、図１は、上刃板の側から見た図を、図２は、下刃板の側から見た図を夫々示してある。
【００２６】
本発明に係る爪切り具は、従来の爪切り具と同様、上下一対の刃板（上刃板１及び下刃板２）と押し板３とを備えている。上刃板１及び下刃板２は、ばね鋼等の弾性に富む金属材料製の板材であり、縮幅された基部と拡幅された先端部とを備える略同一の平面形状を有しており、図示の如く、全長に亘って相互に整合するように重ねて夫々の基部を適長に亘って固着せしめて一体化されている。
【００２７】
下刃板２は、先端に向けて上刃板１から離れる向きに反りを有している。この反りにより厚さ方向に離反する上刃板１及び下刃板２の先端部は、夫々に近付く向きに屈曲させてあり、所定の隙間を隔てて対向する夫々の屈曲部の端縁に、内側への湾曲形状を有する切刃10，20が設けられている。上刃板１及び下刃板２の先端近傍には、幅方向の略中央に夫々を厚さ方向に貫通する貫通孔11，21が形成されており、これらには、下刃板２側の貫通孔21から挿通され、上刃板１側の貫通孔11から適長突出する支軸４が挿通されている。
【００２８】
上刃板１の上側への支軸４の突出端部には、これと略直交する支持ピン40が打設されており、この支持ピン40には、押し板３の一端部が揺動自在に枢支されている。また下刃板２の下側への支軸４の突出端部には、他部よりも大径とされ、貫通孔21の周縁部との当接により自身の抜け出しを防止するストッパ部41（図３参照）が設けられている。
【００２９】
而して押し板３は、支軸４と共に上刃板１の面内にて回転することができ、また支持ピン40を枢軸として上刃板１と直交する面内にて揺動することができる。図１中の実線は、非使用時における押し板３の状態を示している。このとき押し板３は、全長に亘って上刃板１の上面に沿って延びた状態にあり、上向きとなる押し板３の一面には、前記支持ピン40による枢支部の近傍に厚さ方向に突設された山形の押し片30が設けられている。
【００３０】
使用時における押し板３は、は、まず支持ピン40を枢軸として上刃板１から離れる向きに略90°揺動させ、支軸４と共に略 180°回転させた後、支持ピン40を枢軸として上刃板１に近付く向きに戻し揺動させることにより、図１中に２点鎖線により示す如く、上刃板１の上面に押し片30を当接させた状態となる。押し板３の一面には、前記支持ピン40による枢支部の近傍に厚さ方向に突設された山形の押し片30が設けられている。
【００３１】
この状態にある押し板３を押圧操作し、支持ピン40を枢軸として上刃板１に近付く向きに揺動せしめた場合、押し板３は、支持ピン40による枢支部を支点とし、押し片30の当接部を力点とする「てこ」としての作用をなし、上刃板１と下刃板２とが、押し片30とストッパ部41との間での挾持力により接近移動せしめられ、上刃板１及び下刃板２の先端縁に設けられた切刃10，20が衝合されることとなり、これらの間に差し込まれた使用者の手指又は足指の爪が切断される。
【００３２】
以上の構成を有する本発明に係る爪切り具は、更に、下刃板２の下面に取付けられたスペーサ板50を備えている。図３は、スペーサ板50を取り外した第１の実施の形態の爪切り具を下刃板２の側から見た外観斜視図、図４は、スペーサ板50の外観斜視図である。
【００３３】
図３に示す如く下刃板２の下面には、先端部近傍の幅方向中央部に、スペーサ板50の取付けのためのねじ杆22が突設され、該ねじ杆22よりも基端部寄りに、スペーサ板50をガイドするためのガイド突起23が突設されている。
【００３４】
図４に示す如くスペーサ板50は、下刃板２と略等幅をなして成形された樹脂製の板材であり、幅方向の中央部には、長手方向に延びる長孔51が形成され、また幅方向の両側縁には、下刃板２の面上に自身を支えるための脚突起52，52が、前記長孔51の形成域を適長欠落させて形成されている。またスペーサ板50の長手方向の一端部は、脚突起52，52と同側に向けて屈曲され、この屈曲部の先端には、適宜の厚さを有し、内側に凸となる湾曲形状をなすスペーサ５が設けられている。
【００３５】
以上の如く構成されたスペーサ板50は、脚突起52，52の突設側を下刃板２の側に向け、下刃板２に突設されたねじ杆22及びガイド突起23を長孔51に挿通し、該長孔51から突出する前記ねじ杆22先端のねじ部に止めナット53を螺合して、この止めナット53を長孔51の側縁部に締め付けることにより、図１及び図２に示す如く、下刃板２の面上に脚突起52，52により支えられ、また図１に示す如く、スペーサ板50の先端のスペーサ５が下刃板２の切刃20の外側に沿って位置するように固定されている。なおスペーサ５の湾曲形状は、切刃20の湾曲形状に対応するように設定されており、スペーサ板50の取付けにより切刃20の外側に隙間なく密着し得るようになしてある。
【００３６】
このように固定されたスペーサ板50は、止めナット53を緩め、脚突起52，52の押し付けを解除することにより、長孔51の長手方向、即ち、下刃板２の長手方向に移動させ、適宜の移動位置での止めナット53の締め付けにより固定することができ、この移動によりスペーサ板50先端のスペーサ５の切刃20に対する相対位置を適宜に調整することができる。
【００３７】
なお長孔51に挿通されたガイド突起23は、以上の調整の間のスペーサ板50の位置ずれを阻止するガイド作用をなす。また止めナット53は、図１及び図２に示す如く、蝶ナットとして構成されており、前述した調整の前後における緩め及び締め付け操作が容易に行われるようにしてある。
【００３８】
以上の如く構成された本発明に係る爪切り具においては、下刃板２の切刃20の外側に位置するスペーサ５が備えられており、このスペーサ５は、上刃板１の切刃10と下刃板２の切刃20との間に切断すべき爪が差し込まれるとき、この爪を備える手指又は足指の先端部に当たり、これらの先端部が切刃10及び切刃20の衝合位置に接触することを阻止する作用をなす。
【００３９】
従って使用者は、手指又は足指をスペーサ５に押し付けることにより、切刃10，20に対して爪を、簡易に、しかも適正に位置合わせすることができ、この状態でなされる押し板３の前述した押圧操作により、適正な長さでの爪切りを、手指又は足指を傷付ける虞れなく安全に実施することができる。このような位置合わせは、老人、子供、身体障害者にとっても容易であり、日常生活に必要な爪切りを自力で安全に行わせることができる。
【００４０】
またスペーサ５は、下刃板２の下面に沿って長手方向になされるスペーサ板50の移動により位置調整することができ、この位置調整により下刃板２の切刃20に対して接離するから、爪の切り長さを自在に調節することができる。即ち、スペーサ板50を下刃板２の先端側に向けて移動させ、スペーサ５を切刃20から離反させた場合、切刃10，20間への爪の差し込み長さが短くなって、爪先を長く残して切り揃えることができ、逆に、スペーサ板50を下刃板２の基端側に向けて移動させ、スペーサ５を切刃20に密着せしめせた場合、切刃10，20間への爪の差し込み長さが長くなって、爪先を短く切り揃えることができる。
【００４１】
図５は、本発明に係る爪切り具の第２の実施の形態を示す外観斜視図であり、図６は、本発明に係る爪切り具の第３の実施の形態を示す外観斜視図である。
【００４２】
図５に示す爪切り具は、下刃板２の先端の屈曲部の外側面に幅方向の２か所を止めねじ54，54により固定されたブロック状のスペーサ５を備えており、該スペーサ５は、切刃20の外側に沿うように配置されている。また図６に示す爪切り具は、下刃板２の先端の屈曲部に、外側に向けて張り出すように一体成形されたスペーサ５を備えており、該スペーサ５が切刃20の外側に沿うように配置されている。これらの爪切り具の他の部分の構成は、第１の実施の形態と同様であり、対応する構成部分に図１及び図２と同一の参照符号を付して、詳細な構成及び作用の説明を省略する。
【００４３】
図５及び図６に示す爪切り具を使用する場合、手指又は足指の先端をスペーサ５に押し当てることにより、切刃10，20間に差し込まれる爪を適正に位置合わせすることができ、この状態で押し板３を押圧操作することにより、容易にしかも安全に爪切りを実施することが可能となる。
【００４４】
これらの実施の形態に示す爪切り具は、第１の実施の形態に示す爪切り具と比較した場合、部品点数の削減による構成の簡素化を図り得るという利点を有するが、図５に示す爪切り具においては、止めねじ54，54の締め付け又は緩め操作により、限定された範囲内でのスペーサ５の位置調整が可能であるのみであり、図６に示す爪切り具においては、スペーサ５の位置調整は不可能であり、爪の切り長さの調節には適さない。
【００４５】
なお以上の実施の形態においては、下刃板２の切刃20の外側にスペーサ５を配置した構成としてあるが、上刃板１の切刃10の外側に同様のスペーサ５を配置してもよいことは言うまでもない。
【００４６】
図７、図８及び図９は、本発明に係る爪切り具カバーの第１の実施の形態を示す外観斜視図であり、図７は、爪切り具に装着した状態を上刃板の側から見た図であり、図８は、同じく下刃板２の側から見た図であり、図９は、爪切り具から取り外した状態を示す図である。
【００４７】
本発明に係る爪切り具カバーが装着される爪切り具は、上刃板１、下刃板２及び押し板３を備え、スペーサ板50及び該スペーサ板50の取付けのための構成を除いて第１の実施の形態に示す爪切り具と同様の構成を有しており、これらの爪切り具の他の部分の構成は、図１〜３に示す爪切り具と同様であり、対応する構成部分に図１〜３と同一の参照符号を付して詳細な構成及び作用の説明を省略する。
【００４８】
図９に示す如く本発明に係る爪切り具カバーは、上刃板１及び下刃板２と対応する平面形状を有する底板60と、該底板60の幅方向両側に立設された側板61，61とを備える樹脂成形品であり、側板61，61の先端縁の間には、適宜の厚さを有し、内側に凸となる湾曲形状を有する板状のスペーサ６が横架されている。また底板60の先端側には、支軸４のストッパ部41を受容するための円形断面の開口62が開設され、底板60の基端側には、下刃板２の押し出しのための矩形断面の開口63が開設されている。
【００４９】
このように構成された爪切り具カバーは、図７及び図８に示す如く、爪切り具を下刃板２の側から側板61，61間に押し込み、上刃板１及び下刃板２の両側を側板61，61により覆うように装着して用いられる。側板61，61の基端側には、上刃板１及び下刃板２の基端部を嵌め込み、抜け出し不可に支えるストッパ板64が横架されている。
【００５０】
図８に示す如く、底板60の先端側の開口62からは支軸４先端のストッパ部41が、また基端側の開口63からは下刃板２の基部が夫々露出しており、爪切り具に装着された爪切り具カバーは、例えば、手指を前記開口62，63内に差し込み、下刃板２を押し上げることにより取り外すことができる。
【００５１】
このように爪切り具に装着された爪切り具カバーにおいて、側板61，61の先端縁に横架されたスペーサ６は、図７に示す如く、下刃板２の切刃20の外側に沿って位置することとなる。なおスペーサ６の湾曲形状は、切刃20の湾曲形状に対応するように設定され、切刃20の外側に隙間なく密着し得るようになしてある。
【００５２】
以上の如く構成された爪切り具カバーにおいては、これが装着された爪切り具の使用に際し、上刃板１の切刃10と下刃板２の切刃20との間に切断すべき爪が差し込まれるとき、この爪を備える手指又は足指の先端部が下刃板２の切刃20の外側に位置するスペーサ６に当たり、これらの先端部が切刃10及び切刃20の衝合位置に接触することを阻止する作用をなす。
【００５３】
従って使用者は、手指又は足指をスペーサ６に押し付けることにより、切刃10，20に対して爪を、容易に、しかも適正に位置合わせすることができ、この状態でなされる押し板３の前述した押圧操作により、適正な長さでの爪切りを、手指又は足指を傷付ける虞れなく安全に実施することができる。この爪の位置合わせは、老人、子供、身体障害者にとっても容易であり、日常生活に必要な爪切りを自力で安全に行わせることができる。
【００５４】
図10は、本発明に係る爪切り具カバーの第２の実施の形態を示す外観斜視図であり、爪切り具に装着した状態を下刃板の側から見た図となっている。この爪切り具カバーは、側板61，61の先端縁間に横架されたスペーサ６を備えておらず、底板60に長手方向への移動自在に取り付けられたスペーサ板70の先端に位置調整が可能とされたスペーサ７を備えている。
【００５５】
図11は、スペーサ板70を取り外した第２の実施の形態の爪切り具カバーを底板60の側から見た外観斜視図、図12は、スペーサ板70の外観斜視図である。
【００５６】
図11に示す如く底板60の下面には、先端部近傍の幅方向中央部に、スペーサ板70の取付けのためのねじ杆65が突設され、該ねじ杆65よりも基端部寄りに、スペーサ板70をガイドするためのガイド突起66が突設されている。他の部分の構成は、底板60の先端側の開口62が矩形であり、また前述の如くスペーサ６を備えていないことを除けば、図９に示す爪切り具カバーと同様であり、対応する構成部分に図９と同一の参照符号を付して詳細な構成及び作用の説明を省略する。
【００５７】
図12に示す如くスペーサ板70は、底板60と略等幅をなして成形された樹脂製の板材であり、幅方向の中央部には、長手方向に延びる長孔71が形成されている。またスペーサ板70の長手方向の一端部には、一面側に向けて略直角に屈曲され、内側に凸となる湾曲形状をなすスペーサ７が適宜の厚さを有して設けられている。
【００５８】
以上の如く構成されたスペーサ板70は、スペーサ７の突出側を底板60の側に向け、底板60に突設されたねじ杆65及びガイド突起66を長孔71に挿通し、該長孔71から突出する前記ねじ杆65先端のねじ部に止めナット73を螺合して、この止めナット73を長孔71の側縁部に締め付けることにより、図10に示す如く底板60の面上に固定されている。このようにスペーサ板70が固定された爪切り具カバーを前述の如く爪切り具に装着せしめた場合、スペーサ板70先端のスペーサ７は、底板60の内側に接する下刃板２の切刃20の外側に沿って位置することとなる。なおスペーサ７の湾曲形状は、切刃20の湾曲形状に対応するように設定されている。
【００５９】
前述の如く固定されたスペーサ板70は、止めナット73を緩め、底板60への押し付けを解除することにより、長孔71の長手方向、即ち、底板60の長手方向に移動させ、適宜の移動位置での止めナット73の締め付けにより固定することができ、この移動によりスペーサ板70先端のスペーサ７の切刃20に対する相対位置を適宜に調整することができる。
【００６０】
このとき長孔71に挿通されたガイド突起66は、スペーサ板70の位置ずれを阻止するガイド作用をなす。また止めナット73は、図10に示す如く、蝶ナットとして構成されており、位置調整の前後における緩め及び締め付け操作が容易に行われるようにしてある。
【００６１】
以上の如く構成された爪切り具カバーにおいては、これが装着された爪切り具の使用に際し、上刃板１の切刃10と下刃板２の切刃20との間に切断すべき爪が差し込まれるとき、この爪を備える手指又は足指の先端部が下刃板２の切刃20の外側に位置するスペーサ７に当たり、これらの先端部が切刃10及び切刃20の衝合位置に接触することを阻止する作用をなす。
【００６２】
従って使用者は、手指又は足指をスペーサ７に押し付けることにより、切刃10，20に対して爪を、容易に、しかも適正に位置合わせすることができ、この状態でなされる押し板３の前述した押圧操作により、適正な長さでの爪切りを、手指又は足指を傷付ける虞れなく安全に実施することができる。この爪の位置合わせは、老人、子供、身体障害者にとっても容易であり、日常生活に必要な爪切りを自力で安全に行わせることができる。
【００６３】
従って使用者は、手指又は足指をスペーサ７に押し付けることにより、切刃10，20に対して爪を、簡易に、しかも適正に位置合わせすることができ、この状態でなされる押し板３の前述した押圧操作により、適正な長さでの爪切りを、手指又は足指を傷付ける虞れなく安全に実施することができる。このような位置合わせは、老人、子供、身体障害者にとっても容易であり、日常生活に必要な爪切りを自力で安全に行わせることができる。
【００６４】
またスペーサ７は、底板60に沿ってなされるスペーサ板70の移動により、下刃板２先端の切刃20に対して接離するように位置調整することができ、この位置調整により爪の切り長さを自在に調節することができる。即ち、スペーサ板70を底板60の先端側に向けて移動させてスペーサ７を切刃20から離反させた場合、切刃10，20間への爪の差し込み長さが短くなり、爪先を長く残して切り揃えることができ、逆に、スペーサ板70を底板60の基端側に向けて移動させ、スペーサ７を切刃20に密着せしめせた場合、切刃10，20間への爪の差し込み長さが長くなり、爪先を短く切り揃えることができる。
【００６５】
なお以上の実施の形態においては、爪切り具に装着された使用状態において、下刃板２の切刃20の外側にスペーサ６又はスペーサ７が配置される構成としてあるが、同様のスペーサ６又はスペーサ７が、上刃板１の切刃10の外側に配置される構成としてもよい。
【００６６】
また以上の実施の形態に示す爪切り具カバーは、爪切り具の全体を覆うように装着される構成としてあるが、スペーサ６又はスペーサ７が配置される下刃板２の先端近傍を、上刃板１の対応部分を含めて覆い得るものであればよい。
【図面の簡単な説明】
【００６７】
【図１】本発明に係る爪切り具の第１の実施の形態を示す外観斜視図である。
【図２】本発明に係る爪切り具の第１の実施の形態を示す外観斜視図である。
【図３】スペーサ板を取り外した第１の実施の形態の爪切り具を下刃板の側から見た外観斜視図である。
【図４】スペーサ板の外観斜視図である。
【図５】本発明に係る爪切り具の第２の実施の形態を示す外観斜視図である。
【図６】本発明に係る爪切り具の第３の実施の形態を示す外観斜視図である。
【図７】本発明に係る爪切り具カバーの第１の実施の形態を示す外観斜視図である。
【図８】本発明に係る爪切り具カバーの第１の実施の形態を示す外観斜視図である。
【図９】本発明に係る爪切り具カバーの第１の実施の形態を示す外観斜視図である。
【図１０】本発明に係る爪切り具カバーの第２の実施の形態を示す外観斜視図である。
【図１１】スペーサ板を取り外した第２の実施の形態の爪切り具カバーを底板の側から見た外観斜視図である。
【図１２】スペーサ板の外観斜視図である。
【符号の説明】
【００６８】
１    上刃板
２    下刃板
３    押し板
４    支軸
５    スペーサ
６    スペーサ
７    スペーサ
50    スペーサ板
70    スペーサ板
【図１】
2005192716.tif 000003
【図２】
2005192716.tif 000004
【図３】
2005192716.tif 000005
【図４】
2005192716.tif 000006
【図５】
2005192716.tif 000007
【図６】
2005192716.tif 000008
【図７】
2005192716.tif 000009
【図８】
2005192716.tif 000010
【図９】
2005192716.tif 000011
【図１０】
2005192716.tif 000012
【図１１】
2005192716.tif 000013
【図１２】
2005192716.tif 000014